(57)【要約】【課題】十分な強度、防水性を有し、しかも、布が持つような風合いを有する釣り用ケースを提供することである。【解決手段】合成樹脂板の一側面に織布が添付され、前記合成樹脂板の前記織布が添付された面が前記織布の繊維の間に入り込んで前記織布を保持した板材を用いて釣り用ケースを構成する。この板材は、合成樹脂板に織布が沿うようにして湾曲され、板材は、合成樹脂板側が外側になるように用いている。合成樹脂板は透光性を有し、前記合成樹脂板を通じて織布が視認できる。この板材は、合成樹脂板に織布を添付し、加熱して、前記合成樹脂板の表面が溶融して前記織布の繊維の間に入り込んで前記織布を保持することで製造し、前記板材を合成樹脂板に織布が沿うようにして熱変形して湾曲させている。【選択図】        図３
2004298036.tif 000002
【特許請求の範囲】
【請求項１】
合成樹脂板の一側面に織布が添付され、前記合成樹脂板の前記織布が添付された面が前記織布の繊維の間に入り込んで前記織布を保持した板材を用いた釣り用ケース。
【請求項２】
前記板材は、合成樹脂板に織布が沿うようにして湾曲されていることを特徴とする請求項１記載の釣り用ケース。
【請求項３】
前記板材は、合成樹脂板側が外側になるように用いたことを特徴とする請求項１または２記載の釣り用ケース。
【請求項４】
合成樹脂板は透光性を有し、前記合成樹脂板を通じて織布が視認できることを特徴とする請求項３記載の釣り用ケース。
【請求項５】
合成樹脂板に織布を添付し、加熱して、前記合成樹脂板の表面が溶融して前記織布の繊維の間に入り込んで前記織布を保持させた板材を用いたことを特徴とする釣り用ケースの製造方法。
【請求項６】
前記板材を合成樹脂板に織布が沿うようにして熱変形して湾曲させたことを特徴とする請求項５記載の釣り用ケースの製造方法。
【発明の詳細な説明】
【０００１】
【発明の属する技術分野】
本発明は、ルアー、浮き、仕掛け、釣竿等の釣具を収納する釣り用ケースに関する。
【０００２】
【従来の技術】
従来から釣り用ケースは布で形成されたバッグ、ルアー等の小物を入れる合成樹脂成型品のタックルケース、撒き餌を入れたり、釣れた魚を入れておく等の用途に使用される柔軟性を有する合成樹脂のシ−ト材のバケツ、釣竿等を収納する硬質合成樹脂やクロロプレンゴム等で形成された釣竿ケース等が使用されている。
【０００３】
これら釣り用ケースは、上記布のバッグのようにあまり釣り場までに持ち込まないものや身につけておくものは、壊れても破片が飛ばず、また、手触りがよく、風合いがある布で形成することができるが、防水性に欠ける（特許文献１）。
しかし、実際の釣り場では、雨天に釣りを行うことがあり、水に落としたり、飛沫がかかったりするため、上記布よりも防水性を有する材料が用いられ、また、障害物に接触したり、ぶつけたりすることが予想されるため、これに対応したある程度の強度が必要であって、例えば合成樹脂等で成型されたケースが用いられる（特許文献２）。
しかし、この様なケースは、壊れると破片がこぼれ落ちケースをなさなくなったり、布のような風合いが感じられない。
【０００４】
【特許文献１】特開２０００−２０１６０８号公報
【０００５】
【特許文献２】特開平８−２１４７４９号公報
【０００６】
【発明が解決しようとする課題】
解決しようとする問題点は、従来の布製の釣り用ケースは、強度、防水性が乏しく、合成樹脂等で形成された釣り用ケースは、壊れると破片がこぼれ落ちケースをなさなくなったり、布が持つような風合いがないことである。
【０００７】
本発明の目的は前記欠点に鑑み、破壊しにくく、防水性を有し、しかも、布が持つような風合いを有する釣り用ケースを提供することである。
【０００８】
【課題を解決するための手段】
上記課題を解決するために、
請求項１に係わる本発明は、合成樹脂板の一側面に織布が添付され、前記合成樹脂板の前記織布が添付された面が前記織布の繊維の間に入り込んで前記織布を保持した板材を用いたことを要旨とするものである。
請求項２に係わる本発明は、板材は、合成樹脂板に織布が沿うようにして湾曲されていることを要旨とするものである。
請求項３に係わる本発明は、板材は、合成樹脂板側が外側になるように用いたこことを要旨とするものである。
請求項４に係わる本発明は、合成樹脂板は透光性を有し、前記合成樹脂板を通じて織布が視認できることことを要旨とするものである。
請求項５に係わる本発明の製造方法は、合成樹脂板に織布を添付し、加熱して、前記合成樹脂板の表面が溶融して前記織布の繊維の間に入り込んで前記織布を保持させた板材を用いたことを要旨とするものである。
請求項６に係わる本発明の製造方法は、前記板材を合成樹脂板に織布が沿うようにして熱変形して湾曲させたことを要旨とするものである。
【０００９】
【発明の実施の形態】
以下、本発明の好ましい実施形態を図面に基づき説明する。
図１から図６は第１実施形態で、本願の釣り用ケースを釣り用バケツを用いた例である。
図１は釣り用バケツの斜視図、図２は蓋体を開いた釣り用バケツの斜視図、図３は容器本体と蓋体の要部拡大断面側面図、図４は製造過程における板材の断面図、図５は板材の部分断面図、図６は成型過程における蓋体の部分断面図である。
【００１０】
釣り用バケツＡは容器本体１の上方の開口１ａをヒンジ７で開閉自在に取り付けた蓋体２で閉塞可能で、容器本体１の前面と後面に支持部３、３が固定されて支持部３、３にハンドル４、４が取り付けられている。
容器本体１は、例えばエチレン酢酸ビニ−ル等の合成樹脂シ−トで形成され防水性と柔軟性を有している。
容器本体１は周辺部１ｂの一側と他側が重ねられて高周波溶着等で溶着固定され、周辺部１ｂの下端に底面１ｃが高周波溶着等で溶着固定されて内部に収納部を有する直方体に形成されている。
【００１１】
容器本体１の周辺部１ｂの開口縁に金属線のフレーム５が周辺部１ｂのシ−ト材で包み込まれ、周辺部１ｂは開口１ａにおいて内側から外側へ折り返されて周辺部１ｂに高周波溶着等で溶着固定または縫着されて固定部１ｅとなり、折り返しの端部１ｆは固定部１ｅより外側へ突出されている。
【００１２】
折り返しの端部１ｆには係止チャック６の帯布６ａが縫着され、この帯布６ａの先端には係合部６ｂが固定されている。
一方、容器本体１の開口１ａを閉塞する蓋体２の周辺に沿って同様に係止チャック６の帯布６ａが縫着され、この帯布６ａの先端には係合部６ｂが固定されている。
この容器本体１と蓋体２にそれぞれ設けた係止チャック６は、容器本体１の開口１ａを蓋体２で閉塞したときに互いの係合部６ｂ、６ｂを係合し、係止チャック６、６を閉じることが出来る。
【００１３】
蓋体２は、上面側に合成樹脂の上層２ａを有し、下面（裏面）側に織布から成る下層２ｂが形成され、この織布から成る下層２ｂは、上記上層２ａに沿った状態に添付されて蓋体２の下面側にその表面が露出している。
上層２ａの合成樹脂は、その下面側表面が下層２ｂの織布の繊維の間（織り目を含む）に入り込むように多数の微細な凸２ｃを有しており、この凸２ｃにより添付された織布を保持している。
【００１４】
上層２ａの合成樹脂は、ポリプロピレン等を用いており、防水性を有し、その上面側は滑面状に形成され厚さは０．１〜２．０ｍｍ程度で、下層２ｂの織布より大きな合成を有し、多少歪んでも破損しないような可撓性を有し、また、透光性を有している。
下層２ｂの織布はナイロンの繊維束で平織りされ、上層２ａの合成樹脂層より大きな伸縮性を有している。
【００１５】
蓋体２は、上面から見ると、上層２ａの合成樹脂層を通して下層２ｂの織布の織り目と織布の色彩が視認できるため、上面が衝撃に強く防水性を有する合成樹脂であるにもかかわらず、下層２ｂの織布の風合いが感じ取れ、また、織布を直に使用した場合のように皺にならない。
また、蓋体２を開けば、その裏面は織布が露出しているため、収納した物が傷付きにくい。
【００１６】
蓋体２は、天板部Ｔと、その周辺を湾曲状に形成し前記周辺から下方に垂下するスカート部Ｓを一体に有しており、スカート部Ｓは、蓋体２を閉じたときに、容器本体１の側壁１ｂの外側の上側（開口１ａに近い部分）を覆うようになっている。
【００１７】
蓋体２のスカート部Ｓは、下方になるにつれて外方に広がるように傾斜して形成されているが、このように形成されると蓋体２を閉じるときにスカート部Ｓの下端が容器本体１の開口１ａに引っかからずスムーズに閉めることができ、係止チャック６、６を係合すると、蓋体２のスカート部Ｓが容器本体１の側壁１ｂの外側に沿うように変形し、閉塞が確実になって開口１ａから収納物が出にくい。
【００１８】
なお、蓋体２の裏面は、下層２ｂの織布が添設されているため、合成樹脂の上層２ａを補強し、その繊維が単一方向ではなく異なる方向の繊維を有しているため、湾曲状に形成された蓋体１の形状を保持する。
【００１９】
とくに、上層２ａの合成樹脂は、その下面側表面、つまり下層２ｂとの接触面が下層２ｂの織布の繊維の間（織り目を含む）に入り込むように微細な凸２ｃを有しており、この凸２ｃにより添付されてた織布をずれないように保持すると共に、同時に、この織布の繊維の間や折り目に入り込む微細な凸２ｃによって湾曲状に形成された蓋体２の形状も保持される。
また、天板部Ｔは平面状でなく、湾曲させて凹凸部２ｄを設けているため、強度が大きく、破損しにくい。
【００２０】
この様な蓋体２は、図４から図６のように形成される。
まず、図４のように、上層２ａに使用する合成樹脂板の上層用材料２Ａに下層２ｄに使用する織布の下層用材料２Ｂを添付するが、この時、上記上層用材料の合成樹脂板と同じ材料のシート材２Ｃ（上層用材料の合成樹脂板より厚さが薄い）を介在させて重ねる。
【００２１】
次に、これらを重ねた状態で加熱し、図５のような積層体からなる板材Ｉを形成するが、上記シート材２Ｃが溶融して、下層２ｂの織布の繊維間または織り目間に入り込み、硬化し、一方、上層用材料２Ａの合成樹脂と一体化して上層２ａの一部となるため、合成樹脂の上層用材料２Ａと下層２ｂの織布が接合される。
【００２２】
この時、下層２ｂの織布は潰れて薄肉になるが、下層２ｂの織布の繊維間または織り目間に入り込んだ上層２ａの合成樹脂は織布の繊維間または織り目に侵入するだけで、これを通過し下層２ｂの織布を覆うことがないため、下層２ｂの織布は板材Ｉの下面に露呈する。
【００２３】
次に、この板材Ｉを加熱した金型Ｋ１、Ｋ２内で押圧して、湾曲状に変形させ、天板部Ｔとスカート部Ｓを一体に有する蓋体２を得る。
この時、天板部Ｔの凹凸部２ｄを同時に形成し、このスカート部Ｓに沿って係止チャック６を取付け、ヒンジ７で容器本体１に取り付ける。
【００２４】
このように形成した蓋体２は、下層２ｂが織布であるため、湾曲状に形成しても、織布がその織り目の間隙が広がって延びるため皺にならずに上層２ｂに沿って添設され、さらに、割れて破片がこぼれやすい合成樹脂板の上層２ａは、これよりも伸縮性が大きい織布の下層２ｂが接合されて添付されているため、上層２ａが破損しにくく、また、割れても破片がこぼれにくいように蓋体２を補強する。
また、蓋体２は、真空成形によって湾曲状に成形することもできる。
【００２５】
図７、図８は第２実施形態で、図７は容器本体の斜視図、図８は容器本体と蓋体の要部拡大断面側面図である。
【００２６】
第２実施形態の釣り用ケースは、釣り用バケツで、その容器本体１が合成樹脂板に織布が添付され、この合成樹脂板の織布が添付された面が前記織布の繊維の間に入り込んで前記織布を保持した板材で形成されている。
この容器本体１を形成する板材も第１実施形態の蓋体２と同様の材料を用いて同様の方法で製造され、周辺部１ｂから底面１ｃにかけて一体に形成された湾曲状の角部となっている。
【００２７】
この容器本体１は、外面側に合成樹脂の外層１ｇを有し、内面側に織布から成る内層１ｈが形成され、この織布から成る内層１ｈは、上記外層１ｇに沿った状態に添付されて容器本体１の内面側にその表面が露出しているため収納物が傷付きにくい。
外層１ｇの合成樹脂は、その内面側表面が内層１ｈの織布の繊維の間や折り目に入り込むように微細な凸１ｉを有しており、この凸１ｉにより添付し接合されてた織布を保持している。
外層１ｇの合成樹脂は、その内層１ｈの織布によって第１実施形態の蓋体と同様、補強され、割れにくい。
外層１ｇは、ポリプロピレン等の合成樹脂を用いており、防水性を有し収納物が濡れず、また、透光性を有し内層１ｈの織布が外層１ａを通して視認できる。
【００２８】
また、このように、本願の合成樹脂板の織布が添付された板材を容器本体１に用いた場合でも同様に外層１ｇの合成樹脂は、その内面側表面が内層１ｈの織布の繊維の間や折り目に入り込むように多数の微細な凸１ｉを有しており、この凸１ｉにより添付されてた織布をずれないように保持すると共に、同時に、この織布の繊維の間や折り目に入り込む微細な凸１ｉによって湾曲状に形成された容器本体１の形状も保持される。
【００２９】
このように形成した容器本体１は、上方に開口１ａを有し、その周辺部１ｂと底面１ｃが一体の内部に収納部を有する直方体に形成されている。
その周辺部１ｂの外側上方にシート片１ｊを介して係合チャック６が設けられている。
蓋体２は、エチレン酢酸ビニル等の合成樹脂シートを加熱、変形させて天板部Ｔとスカート部Ｓが一体に形成されている。
他の構成は、第１実施形態と同様である。
【００３０】
本願の第１，第２実施形態では、合成樹脂板の一側面に織布が添付された釣り用ケースを例にしたが、これは、合成樹脂板の少なくとも一側面に織布が添付されていればよいということであって、合成樹脂板の両面に織布が添付されていてもよい。
つまり、図９のように、第１実施形態の蓋体の上面に下層２ｂと同様に織布を設けて最上層２ｅとしてもよく、また、これを第２実施形態の容器本体１に用いてもよい。
この様にすると、防水性を有し収納物が濡れず、合成樹脂板がより破損しにくくなり、釣り用ケースの内外側に織布が添付されるため、風合いが増し、釣り用ケースの内外側において傷付きにくく、その内外側に接触した物も傷付かない。
【００３１】
また、本願の第１，第２実施形態では、本願の釣り用ケースを釣り用バケツを用いて、その蓋体と容器本体に合成樹脂板の織布が添付された板材を用いた例を示したが、釣り用小物ケースやタックルケースや釣竿ケースなど上記以外の釣り用ケースに用いてもよい。
【００３２】
【発明の効果】
本発明は、以上説明したような形態で実施され、以下に記載されるような効果を奏する。
【００３３】
十分な強度、防水性を有し、しかも、布が持つような風合いを有する釣り用ケースを提供することができる。
また、本発明の製造方法によって、上記釣り用ケースを容易に製造することが出来る。
【図面の簡単な説明】
【図１】第１実施形態で、釣り用バケツの斜視図である。
【図２】同蓋体を開いた釣り用バケツの斜視図である。
【図３】同容器本体と蓋体の要部拡大断面側面図である。
【図４】同製造過程における板材の断面図である。
【図５】同板材の部分断面図である。
【図６】同成型過程における蓋体の部分断面図である。
【図７】第２実施形態で、容器本体の斜視図である。
【図８】同容器本体と蓋体の要部拡大断面側面図である。
【図９】第１実施形態の蓋体の変形例の要部拡大断面側面図である。
【符号の説明】
１  容器本体
１ｂ  周辺部
１ｃ  底面
１ｇ  外層
１ｈ  内層
２  蓋体
２ａ  上層
２ｂ  下層
６  係止チャック
【図１】
2004298036.tif 000003
【図２】
2004298036.tif 000004
【図３】
2004298036.tif 000005
【図４】
2004298036.tif 000006
【図５】
2004298036.tif 000007
【図６】
2004298036.tif 000008
【図７】
2004298036.tif 000009
【図８】
2004298036.tif 000010
【図９】
2004298036.tif 000011